(57)【要約】【課題】表示媒体に表示される画像における画素間の濃度のばらつきを抑制する。【解決手段】表示媒体１０の駆動装置２０は、少なくとも一方が透光性を有する表示基板１と背面基板２との間に形成された電界に応じて、表示基板１と背面基板２との間を移動する粒子群１１が封入された表示媒体１０の複数の画素の各々に対して、画像に応じた電圧を印加する電圧印加部３０と、隣接する画素の各々で異なる表示色を表示する際、隣接する画素の各々に印加するリセット電圧の印加タイミングが異なるように電圧印加部３０を制御する制御部４０を備える。【選択図】図７
2015148685.tif 000002
【特許請求の範囲】
【請求項１】
少なくとも一方が透光性を有する一対の基板間に形成された電界に応じて前記一対の基板間を移動する粒子群が封入された表示媒体の複数の画素の各々に対して、画像に応じた電圧を印加する印加手段と、
隣接する前記画素の各々で異なる表示色を表示する際、隣接する前記画素の各々に印加する初期化電圧の印加タイミングが異なるように前記印加手段を制御する制御手段と、
を備えた表示媒体の駆動装置。
【請求項２】
前記制御手段は、表示すべき前記表示色の濃度が高くなるに従って、隣接する前記画素の各々に印加する前記初期化電圧の印加タイミングのずれが大きくなるように前記印加手段を制御する
請求項１記載の表示媒体の駆動装置。
【請求項３】
前記制御手段は、表示すべき前記表示色の濃度が高くなるに従って、隣接する前記画素の一方の画素に前記初期化電圧を印加してから他方の画素に前記初期化電圧を印加するまでの期間に、前記一方の画素に印加される前記初期化電圧の電圧値が大きくなるように前記印加手段を制御する
請求項１又は請求項２記載の表示媒体の駆動装置。
【請求項４】
前記粒子群は、前記一対の基板間を移動する移動開始電圧が互いに異なる複数種類の粒子群であり、
前記制御手段は、表示すべき前記表示色に応じて、隣接する前記画素の各々に印加する前記初期化電圧の印加手順が異なるように前記印加手段を制御する
請求項１〜請求項３の何れか１項に記載の表示媒体の駆動装置。
【請求項５】
コンピュータを、請求項１〜請求項４の何れか１項に記載の駆動装置を構成する制御手段として機能させるための表示媒体の駆動プログラム。
【請求項６】
少なくとも一方が透光性を有する一対の基板と、
前記一対の基板間に形成された電界に応じて、前記一対の基板間を移動する粒子群が封入された表示媒体と、
請求項１〜請求項３の何れか１項に記載の表示媒体の駆動装置と、
を備えた表示装置。
【請求項７】
少なくとも一方が透光性を有する一対の基板と、
前記一対の基板間に形成された電界に応じて、前記一対の基板間を移動する移動開始電圧が互いに異なる複数種類の粒子群が封入された表示媒体と、
請求項４に記載の表示媒体の駆動装置と、
を備えた表示装置。
【発明の詳細な説明】
【技術分野】
【０００１】
本発明は、表示媒体の駆動装置、駆動プログラム、及び表示装置に関する。
【背景技術】
【０００２】
特許文献１には、少なくとも二つの異なるグレーレベルを達成する能力のある少なくとも一つのピクセルを有する電気光学ディスプレイを駆動する方法であって、少なくとも二つの異なる波形は、予め定めたグレーレベル間における同じ遷移に使用され、予め定めたグレーレベルは、遷移が開始する状態における該ピクセルの休止時間の持続時間に依存し、これらの二つの波形は、（ａ）少なくとも一つの平衡パルスペアを挿入すること、（ｂ）少なくとも一つの平衡パルスペアを削除すること、および（ｃ）ゼロ電圧の少なくとも一つの期間を挿入することのうちの少なくとも一つによって互いに異なり、「平衡パルスペア」とは、該平衡パルスペアの総インパルスが実質的に０になるような、一連の逆極性の二つのパルスを意味する方法が開示されている。
【先行技術文献】
【特許文献】
【０００３】
【特許文献１】特開２０１１−０８５９４４号公報
【発明の概要】
【発明が解決しようとする課題】
【０００４】
本発明は、表示媒体に画像を表示する際、表示媒体の隣接する画素に同じタイミングで初期化電圧を印加した場合と比較して、画素間の濃度のばらつきを抑制することができる、表示媒体の駆動装置、駆動プログラム、及び表示装置を提供することを目的とする。
【課題を解決するための手段】
【０００５】
上記目的を達成するために、請求項１記載の表示媒体の駆動装置の発明は、少なくとも一方が透光性を有する一対の基板間に形成された電界に応じて前記一対の基板間を移動する粒子群が封入された表示媒体の複数の画素の各々に対して、画像に応じた電圧を印加する印加手段と、隣接する前記画素の各々で異なる表示色を表示する際、隣接する前記画素の各々に印加する初期化電圧の印加タイミングが異なるように前記印加手段を制御する制御手段と、を備える。
【０００６】
請求項２記載の発明は、前記制御手段は、表示すべき前記表示色の濃度が高くなるに従って、隣接する前記画素の各々に印加する前記初期化電圧の印加タイミングのずれが大きくなるように前記印加手段を制御する。
【０００７】
請求項３記載の発明は、前記制御手段は、表示すべき前記表示色の濃度が高くなるに従って、隣接する前記画素の一方の画素に前記初期化電圧を印加してから他方の画素に前記初期化電圧を印加するまでの期間に、前記一方の画素に印加される前記初期化電圧の電圧値が大きくなるように前記印加手段を制御する。
【０００８】
請求項４記載の発明は、前記粒子群は、前記一対の基板間を移動する移動開始電圧が互いに異なる複数種類の粒子群であり、前記制御手段は、表示すべき前記表示色に応じて、隣接する前記画素の各々に印加する前記初期化電圧の印加手順が異なるように前記印加手段を制御する。
【０００９】
請求項５記載の表示媒体の駆動プログラムの発明は、コンピュータを、請求項１〜請求項４の何れか１項に記載の駆動装置を構成する制御手段として機能させる。
【００１０】
請求項６記載の表示装置の発明は、少なくとも一方が透光性を有する一対の基板と、前記一対の基板間に形成された電界に応じて、前記一対の基板間を移動する粒子群が封入された表示媒体と、請求項１〜請求項３の何れか１項に記載の表示媒体の駆動装置と、を備える。
【００１１】
請求項７記載の表示装置の発明は、少なくとも一方が透光性を有する一対の基板と、前記一対の基板間に形成された電界に応じて、前記一対の基板間を移動する移動開始電圧が互いに異なる複数種類の粒子群が封入された表示媒体と、請求項４に記載の表示媒体の駆動装置と、を備える。
【発明の効果】
【００１２】
請求項１、５、６、７の発明によれば、表示媒体に画像を表示する際、表示媒体の隣接する画素の各々に同じタイミングで初期化電圧を印加した場合と比較して、画素間の濃度のばらつきを抑制することができる、という効果を有する。
【００１３】
請求項２の発明によれば、表示媒体に表示する画像の濃度を考慮せずに、表示媒体の隣接する画素の各々に印加する初期化電圧の印加タイミングを固定した場合と比較して、画素間の濃度のばらつきをより抑制することができる、という効果を有する。
【００１４】
請求項３の発明によれば、表示媒体に表示する画像の濃度を考慮せずに、表示媒体の隣接する画素の一方の画素に初期化電圧を印加してから他方の画像に初期化電圧を印加するまでの期間に、一方の画像に印加する初期化電圧の電圧値を固定した場合と比較して、画素間の濃度のばらつきをより抑制することができる、という効果を有する。
【００１５】
請求項４の発明によれば、表示媒体に表示する画像の表示色を考慮せずに、隣接する画像の各々に印加する初期化電圧の印加手順を固定した場合と比較して、画素間における表示色の濃度のばらつきを抑制することができる、という効果を有する。
【図面の簡単な説明】
【００１６】
【図１】第１実施形態における表示装置の概略図である。
【図２】表示装置の電気系の要部構成を示すブロック図である。
【図３】第１実施形態における粒子群の閾値特性を示す図である。
【図４】従来の画素電極へ印加するリセット電圧の波形を示す図である。
【図５】従来のリセット電圧の印加に伴う、粒子群の挙動を示す概略図である。
【図６】第１実施形態における表示媒体の駆動プログラムのフローチャートである。
【図７】第１実施形態における画素電極へ印加するリセット電圧の波形を示す図である。
【図８】第１実施形態におけるリセット電圧の印加に伴う、粒子群の挙動を示す概略図である。
【図９】第１実施形態における表示媒体の駆動プログラムを実行した際の、評価結果を示す図である。
【図１０】白リセット駆動及び黒リセット駆動毎にずれフレーム数を変化させた場合の平均ＯＤ変化率を示したグラフである。
【図１１】初期リセット電圧を変化させたリセット電圧の波形を示す図である。
【図１２】初期リセット電圧を変化させた場合の平均ＯＤ変化率を示したグラフである。
【図１３】ずれフレーム数及び初期リセット電圧を変化させた場合の平均ＯＤ変化率を示したグラフである。
【図１４】第２実施形態及び第３実施形態における表示装置の概略図である。
【図１５】第２実施形態における粒子群の閾値特性を示す図である。
【図１６】第２実施形態における表示媒体の駆動プログラムのフローチャートである。
【図１７】第２実施形態における第１リセット処理による粒子群の挙動を示す概略図である。
【図１８】第２実施形態における第２リセット処理のフローチャートである。
【図１９】第２実施形態における第２リセット処理による粒子群の挙動を示す概略図である。
【図２０】第３実施形態における粒子群の閾値特性を示す図である。
【図２１】第３実施形態における表示媒体の駆動プログラムのフローチャートである。
【図２２】第３実施形態における第３リセット処理のフローチャートである。
【図２３】第３実施形態における第１リセット処理による粒子群の挙動を示す概略図である。
【図２４】第３実施形態における第３リセット処理による粒子群の挙動を示す概略図である。
【発明を実施するための形態】
【００１７】
以下、図面を参照して、本発明を実施するための形態を詳細に説明する。作用、機能が同じ働きを担う部材には、全図面を通して同じ符号を付与し、重複する説明を省略する場合がある。
【００１８】
また、シアン色を色符号Ｃ、赤色を色符号Ｒ、白色を色符号Ｗ、黒色を色符号Ｋで表すと共に、色毎に区別して特性等を説明する必要がある場合には、特性等を表す符号の末尾に各色に対応する色符号（Ｃ、Ｒ、Ｗ、Ｋ）を付して区別する。また、粒子と粒子群を同じ符号によって示す。
【００１９】
＜第１実施形態＞
【００２０】
図１は、第１実施形態における表示装置１００を概略的に示した図である。この表示装置１００は、表示媒体１０と、表示媒体１０を駆動する駆動装置２０と、を含んでいる。そして、駆動装置２０は、表示媒体１０の表示側電極３、画素電極４間に電圧を印加する電圧印加部３０と、表示媒体１０に表示する画像の色情報等を含む画像情報に応じて電圧印加部３０を制御する制御部４０と、を含んでいる。
【００２１】
表示媒体１０は、表示基板１、背面基板２、表示基板１に備えられる表示側電極３、背面基板２に備えられる画素電極４、表示基板１及び背面基板２の間に封入された分散媒６、分散媒６を泳動する粒子群１１、及び分散媒６中を浮遊する浮遊粒子群１２を含む。
【００２２】
画像表示面とされる透光性を有する表示基板１と、画像の非表示面とされる背面基板２とは、予め定めた間隙を保って対向して配置される。そして、表示側電極３及び画素電極４に電圧印加部３０から電圧が印加されると、表示基板１と背面基板２とにより構成された間隙に、印加された電圧に応じた電界を発生させる。なお、表示基板１及び背面基板２を、共に透光性を有する基板としてもよい。
【００２３】
ここで、表示側電極３は、表示基板１の全面に亘って配置された電極で、且つ、透光性を有する１つの電極（共通電極）である。画素電極４は、背面基板２に複数配置された個々の電極の総称である。以下では説明を簡略化するため、画素電極４Ａ及び画素電極４Ｂの２つの画素電極４を用いて表示媒体１０の動作について説明するが、背面基板２に３つ以上の画素電極４が配置されていてもよいことは言うまでもない。また、図１では、電圧印加部３０と画素電極４Ｂとの接続しか図示されていないが、実際には、電圧印加部３０と画素電極４の各々とが接続され、画素電極４毎に電圧が印加される。なお、表示側電極３及び画素電極４を、共に透光性を有する電極としてもよい。
【００２４】
本実施形態では、一例として、画素電極４がＴＦＴ電極で構成されており、ｎ個の横方向の走査線（アドレスラインＹ１〜Ｙｎ）とｍ個の縦方向の信号線（データラインＸ１〜Ｘｍ）でマトリクスを形成し、その交点に各々の画素電極４が配置される、いわゆるアクティブマトリクス方式の駆動方式が用いられているものとする。
【００２５】
この場合、走査線は画素電極４のゲートに接続されて、ＴＦＴ電極のオン、オフを決める電圧を印加する。信号線は画素電極４のドレイン又はソースに接続されて、画素電極４に電圧を印加する。
【００２６】
すなわち、走査線の１つＹｉ（ｉ＝１〜ｎ）を通じてその配線上の画素電極４を導通し、信号線から画素電極４に電圧を印加する。この走査をＹ１〜Ｙｎ（１フレーム）の全走査線に渡って行うことで表示媒体１０に表示する画像を書き換える。
【００２７】
従って、画素電極４に印加する電圧の印加時間は、電圧を印加するフレーム数を制御することで可変となる。なお、画素電極４はＴＦＴ電極に限定されるものではなく、また、画素電極４の駆動方式がアクティブマトリクス方式に限定されるものでもない。
【００２８】
ここで、各画素電極４と表示側電極３とが対向して配置されることにより形成される各々の間隙を画素という。画素毎に電圧印加部３０から画素電極４及び表示側電極３へ電圧が印加されると、画素の各々に対応する一対の基板１、２間に電界が発生する。そして、電界の強さに応じて後述する粒子群１１が画素内を移動することで、画素の各々に画像情報に応じた表示色が表示され、表示媒体１０に画像が表示される。
【００２９】
図１に示したように、各画素には、例えば、透過性を有する絶縁性液体である分散媒６と、分散媒６中に分散された黒色粒子群１１Ｋと、浮遊粒子群である図示しない白色粒子群１２Ｗが配置される。
【００３０】
黒色粒子群１１Ｋは、例えば正極に帯電し、表示側電極３及び画素電極４に予め定めた閾値（移動開始電圧）の大きさを超える電圧を印加することにより、黒色粒子群１１Ｋが一対の基板１、２間を移動し、一対の基板１、２の何れかの基板側に付着する電気特性を有している。
【００３１】
一方、図示しない白色粒子群１２Ｗは、黒色粒子群１１Ｋに比べて帯電量が少ない粒子群である。従って、黒色粒子群１１Ｋが一対の基板１、２のうち何れか一方の基板まで移動する電圧が一対の電極３、４間に印加された場合であっても、黒色粒子群１１Ｋの移動速度に比べて白色粒子群１２Ｗの移動速度が遅いため、白色粒子群１２Ｗは一対の基板１、２のうち何れの基板側にも付着することなく、分散媒６中を浮遊する。また、一対の基板１、２間に封入された白色粒子群１２Ｗの粒子量は、黒色粒子群１１Ｋの粒子量よりも多い。そのため、例えば、黒色粒子群１１Ｋが背面基板２側に付着した場合、表示基板１側から見て黒色粒子群１１Ｋより手前で、白色粒子群１２Ｗが黒色粒子群１１Ｋを覆い隠すように分散媒６中を浮遊することから、表示基板１側からは白色が観察される。
【００３２】
なお、本実施形態では、画素電極４単位で画素が構成されるものとして説明するが、画素の構成単位はこれに限られない。例えば、複数の画素電極４をまとめて１つの画素として扱う形態であってもよい。また、粒子の色は白色及び黒色に限定されるものではなく、適宜選択される。
【００３３】
駆動装置２０（電圧印加部３０及び制御部４０）は、表示側電極３及び画素電極４に、画像の色情報として指示された黒色粒子１１Ｋの表示濃度に応じた電圧を印加することにより、表示基板１側に表示濃度に応じた粒子量の黒色粒子１１Ｋを付着させることで、表示媒体１０に画像を表示する。
【００３４】
電圧印加部３０は、表示側電極３及び画素電極４に電圧を印加するための電圧印加装置であり、表示側電極３及び画素電極４の各々にそれぞれ電気的に接続される。また、電圧印加部３０は制御部４０と接続され、制御部４０の指示に従って、表示側電極３及び画素電極４に印加する電圧の印加タイミング及び電圧値を可変させる。なお、本実施形態では、一例として、表示側電極３は接地され、画素電極４に印加される電圧が可変するものとする。
【００３５】
制御部４０は、図２に示すように、例えばコンピュータ４０として構成される。コンピュータ４０は、ＣＰＵ（Ｃｅｎｔｒａｌ  Ｐｒｏｃｅｓｓｉｎｇ  Ｕｎｉｔ）４０１、ＲＯＭ（Ｒｅａｄ  Ｏｎｌｙ  Ｍｅｍｏｒｙ）４０２、ＲＡＭ（Ｒａｎｄｏｍ  Ａｃｃｅｓｓ  Ｍｅｍｏｒｙ）４０３、不揮発性メモリ４０４、及び入出力インターフェース（Ｉ／Ｏ）４０５がバス４０６を介して電気的に各々接続された構成であり、Ｉ／Ｏ４０５には電圧印加部３０が電気的に接続されている。
【００３６】
この場合、例えば、コンピュータ４０のＲＯＭ４０２に後述する表示媒体１０の駆動プログラムを書き込んでおき、ＣＰＵ４０１が表示媒体１０の駆動プログラムを読み込んで実行することで電圧印加部３０を制御する。
【００３７】
ここで、不揮発性メモリ４０４は、Ｉ／Ｏ４０５を介してコンピュータ４０の外部に接続されてもよく、例えばメモリカード等の外部記憶装置であってもよい。
【００３８】
図３は、本実施形態における表示装置１００において、黒色粒子１１Ｋを表示基板１側又は背面基板２側に移動させるために必要な印加電圧の特性（以下、閾値特性という）を示したものである。
【００３９】
図３の横軸は画素電極４に印加される電圧を表しており、縦軸は表示基板１側から観察される黒色粒子１１Ｋの表示濃度を表している。
【００４０】
黒色粒子１１Ｋは、画素電極４に閾値Ｖ１ａを超える電圧が印加されると、基板１、２間に形成された電界に応じた量の黒色粒子１１Ｋが背面基板２から剥離され、表示基板１側へ移動する。そして、画素電極４に閾値Ｖ１以上の電圧が印加されると、表示基板１側から観察される黒色の表示濃度が１００％となる。
【００４１】
また、黒色粒子１１Ｋは、閾値−Ｖ１ａ未満の電圧が画素電極４に印加されると、基板１、２間に形成された電界に応じた量の黒色粒子１１Ｋが表示基板１から剥離され、背面基板２側へ移動する。そして、画素電極４に閾値−Ｖ１以下の電圧が印加されると、表示基板１側から観察される黒色の表示濃度が０％となる。
【００４２】
なお、閾値とは、表示基板１及び背面基板２の何れか一方の基板側に付着した黒色粒子１１Ｋに働く、例えば、ファンデルワールス力及び分子間力等による黒色粒子１１Ｋ相互間の引力、及び鏡像力等による黒色粒子１１Ｋと基板１、２との間の引力等を断ち切って、黒色粒子１１Ｋを表示基板１又は背面基板２から剥離させるのに必要なエネルギー、すなわち、黒色粒子１１Ｋの移動開始エネルギーを示すものである。
【００４３】
この黒色粒子１１Ｋの移動開始エネルギーは、電極３、４間に印加される電圧の大きさと電圧の印加時間に依存する。
【００４４】
従って、黒色粒子１１Ｋ相互間の引力や、黒色粒子１１Ｋと基板１、２との間の引力を断ち切るために必要な大きさの電圧を電極３、４間に印加しても、黒色粒子１１Ｋを基板１、２から剥離させるのに必要なエネルギーに達する前に電圧の印加を停止すると、黒色粒子１１Ｋは基板１、２から剥離せず、基板１、２の何れか一方の基板側に付着したままとなる。
【００４５】
本実施形態では、閾値に関して説明の便宜上、黒色粒子１１Ｋを表示基板１及び背面基板２から剥離させるために必要な電圧の大きさ、すなわち移動開始電圧として説明するが、実際には、単に電極３、４間に印加する印加電圧の大きさによって定められる値ではなく、電極３、４間に印加する印加電圧と、当該印加電圧の印加時間の長さとによって定められた値である。
【００４６】
次に、図３に示した閾値特性を有する黒色粒子群１１Ｋの駆動制御に関して、図４及び図５を参照しながら具体的に説明する。
【００４７】
図４は、画素Ａに黒、画素Ｂに白を表示する際に、各々の画素の画素電極４に印加される電圧の波形を示した図である。
【００４８】
ここで、画素Ａとは、図１における表示側電極３及び画素電極４Ａによって形成された画素をいい、図４（Ａ）は、画素Ａに印加する電圧、すなわち、画素電極４Ａに印加する電圧の波形を示している。また、画素Ｂとは、図１における表示側電極３及び画素電極４Ｂによって形成された画素をいい、図４（Ｂ）は、画素Ｂに印加する電圧、すなわち、画素電極４Ｂに印加する電圧の波形を示している。
【００４９】
なお、図５（Ａ）は、画素Ａ及び画素Ｂに図４（Ａ）及び図４（Ｂ）で示される電圧を印加する前の黒色粒子群１１Ｋの状態を示した図であり、黒色粒子群１１Ｋは、予め表示基板１側に付着しているものとする。すなわち、画素Ａ及び画素Ｂの表示色は黒色となる。
【００５０】
図５（Ｂ）は、画素Ａ及び画素Ｂに対して、共に時刻ｔ１で閾値−Ｖ１以下の電圧である電圧−Ｖ１ｂを印加した場合の黒色粒子群１１Ｋの状態を示した図である。この場合、図５（Ｂ）に示されるように、黒色粒子群１１Ｋは正極に帯電しているため、画素Ａ及び画素Ｂ共に、黒色粒子群１１Ｋが背面基板２側に付着する。この状態で、表示基板１側から画素Ａ及び画素Ｂを観察した場合、黒色粒子群１１Ｋの手前に分散媒６中を浮遊する白色粒子群１２Ｗが観察され、画素Ａ及び画素Ｂの表示色は白色となる。
【００５１】
図５（Ｃ）は、画像Ａ及び画素Ｂに印加する電圧を、共に時刻ｔ２で電圧−Ｖ１ｂから閾値Ｖ１以上の電圧である電圧Ｖ１ｂにした場合の、黒色粒子群１１Ｋの状態を示した図である。この場合、図５（Ｃ）に示されるように、今度は画素Ａ及び画素Ｂ共に、黒色粒子群１１Ｋが表示基板１側に付着するため、画素Ａ及び画素Ｂの表示色は黒色となる。
【００５２】
そして、図５（Ｄ）は、時刻ｔ３で画像Ａ及び画素Ｂに印加する電圧を停止した後、画素Ｂに対してのみ、時刻ｔ４で電圧−Ｖ１ｂを印加した場合の黒色粒子群１１Ｋの状態を示した図である。この場合、図５（Ｄ）に示されるように、電圧−Ｖ１ｂによって形成された電界の及ぶ範囲内に存在する黒色粒子群１１Ｋが背面基板２側に付着する一方、電圧−Ｖ１ｂによって形成された電界の及ばない範囲に存在する黒色粒子群１１Ｋは、表示基板１側に付着したままとなる。すなわち、画素Ａの表示色は白色となり、画素Ｂの表示色は黒色となる。
【００５３】
なお、画素Ａに黒、画素Ｂに白を表示する場合、図５（Ａ）に示す黒色粒子群１１Ｋの状態で画素電極４Ｂのみに電圧−Ｖ１ｂを印加して、直接図５（Ｄ）に示す黒色粒子群１１Ｋの状態とせず、図５（Ｂ）及び図５（Ｃ）の黒色粒子群１１Ｋの状態を経由するのは、黒色粒子群１１Ｋに対してリセット電圧を印加するためである。
【００５４】
リセット電圧とは、画像の色情報として指示された黒色粒子群１１Ｋの表示濃度に応じた電圧（駆動電圧）を画素電極４に印加する前に、画素の各々に印加する電圧である。一対の基板１、２に対する各黒色粒子１１Ｋの付着力にはばらつきがあるため、予め画素の各々にリセット電圧を印加することで、一対の基板１、２の何れか一方に付着する黒色粒子群１１Ｋを、少なくとも１回以上基板から剥離する。こうすることで、各黒色粒子１１Ｋの剥離に要する移動開始エネルギーのばらつきが減少し、各画素に駆動電圧を印加した際に表示される画像の表示濃度のばらつきが抑制される効果が期待される。
【００５５】
具体的には、図４において、時刻ｔ１から時刻ｔ３までの電圧がリセット電圧であり、時刻ｔ４から時刻ｔ５までの電圧が駆動電圧となる。
【００５６】
しかし、図４に示した波形を有するリセット電圧を各画素に印加した場合であっても、画素Ａ及び画素Ｂのように、隣接する画素で異なる色を表示する場合、画素の各々に表示される画像の表示濃度のばらつきが発生する場合がある。
【００５７】
例えば、図５（Ｄ）では、画像Ａに黒色、画素Ｂに白色を表示するため、画素電極４Ｂのみに駆動電圧−Ｖ１ｂを印加したが、電圧−Ｖ１ｂによって形成された電界は画素Ｂだけでなく、画素Ｂに隣接する画素Ａにも影響を与える場合が考えられる。この場合、黒色粒子１１Ｋを背面基板２側へ引き付けようとする画素Ｂからの電界の影響を受けて、表示基板１側に付着する画素Ａに含まれる黒色粒子群１１Ｋのうち、より画素Ｂに近い場所に位置する黒色粒子１１Ｋが表示基板１側から剥離し、画素Ｂの背面基板２側へ付着する。  従って、画素Ａに含まれる黒色粒子１１Ｋの粒子量より、画素Ｂに含まれる黒色粒子１１Ｋの粒子量の方が多くなり、画素間の画像の表示濃度にばらつきが発生するものと考えられる。
【００５８】
そこで、以下では、本実施形態における表示装置１００のＣＰＵ４０１が、表示媒体１０の駆動プログラムを読み込んで当該駆動プログラムを実行することにより、表示媒体１０の画素間の濃度のばらつきを抑制するリセット電圧印加処理について説明する。
【００５９】
なお、一例として、当該駆動プログラムは、表示装置１００のＲＯＭ４０２に予めインストールされているものとするが、ＣＤ−ＲＯＭ等のコンピュータ読み取り可能な記録媒体に格納された状態で提供される形態や、有線又は無線による図示しない通信手段を介して配信される形態等であってもよい。
【００６０】
まず、図６を参照して、本実施形態に係るリセット電圧印加処理を実行する際の表示装置１００の作用について説明する。
【００６１】
図６は、この際に表示装置１００のＣＰＵ４０１により実行される表示媒体１０の駆動プログラムの処理の流れを示すフローチャートであり、当該駆動プログラムは、例えば、ＣＰＵ４０１が図示しない通信手段等を介して表示媒体１０への画像の表示指示を受け付ける毎に、ＣＰＵ４０１により実行される。
【００６２】
なお、一例として、図６に示したリセット電圧印加処理が実行される前の各画素における黒色粒子群１１Ｋは、図５（Ａ）に示したように、表示基板１側に付着しているものとする。また、この際、画素電極４Ａ及び画素電極４Ｂへの印加電圧は接地電圧、すなわち０Ｖになっているものとする。
【００６３】
まず、ステップＳ１０では、例えば、画像の表示指示と共に受け付けた画像情報から、表示媒体１０に表示する画像の色情報を画素毎に読み込む。
【００６４】
ここで画像の色情報とは、例えばＲＧＢデータやＣＭＹデータ等の、画像の画素毎の表示色を一意に指定するための情報であり、本実施形態における画像の色情報は、一例として、画素毎に黒色の濃度値が与えられるものとする。なお、説明を簡略化するため、以下では一例として、画素Ａの黒色濃度値を１００％、画素Ｂの黒色濃度値を０％とする色情報が読み込まれたものとして説明する。
【００６５】
ステップＳ２０では、画素電極４Ａへの印加電圧が電圧−Ｖ１ｂとなるように、電圧印加部３０を制御する。この際、画素電極４Ｂへの印加電圧は０Ｖのままとする。
【００６６】
図７は、図６に示したリセット電圧印加処理を実行した際に、画素Ａ及び画素Ｂの各々に対応する画素電極４に印加される電圧の波形を示した図であり、図７（Ａ）は画素Ａに印加される電圧の波形を示し、図７（Ｂ）は画素Ｂに印加される電圧の波形を示している。図７に示すように、ステップＳ２０の処理によって、例えば、時刻ｔ１における画素電極４Ａへの印加電圧は電圧−Ｖ１ｂとなり、画素電極４Ｂへの印加電圧は０Ｖとなる。
【００６７】
また、図８は、図６に示したリセット電圧印加処理を実行した際の、各画素における黒色粒子群１１Ｋの状態を示した図である。
【００６８】
リセット電圧印加処理実行前には、図８（Ａ）に示されるように、画素Ａの表示基板１側に付着していた黒色粒子群１１Ｋが、ステップＳ２０の処理を実行することによって、図８（Ｂ）に示されるように、背面基板２側に引き寄せされる。
【００６９】
この場合、既に説明したように、電圧−Ｖ１ｂによって形成された電界が画素Ａだけでなく、例えば矢印Ｒ１方向に沿って、画素Ａに隣接する画素Ｂにも影響を与える。従って、画素Ｂに含まれる黒色粒子群１１Ｋのうち、より画素Ａに近い場所に位置する黒色粒子１１Ｋが表示基板１側から剥離し、画素Ａの背面基板２側へ移動する。すなわち、画素Ａに含まれる黒色粒子群１１Ｋの粒子量の方が、画素Ｂに含まれる黒色粒子群１１Ｋの粒子量よりも多くなる。
【００７０】
次に、ステップＳ３０では、予め定めた第１のフレーム数（ずれフレーム数）に亘って、画素電極４Ａに電圧−Ｖ１ｂが印加されたか否かを判定する。当該判定が否定判定の場合には、画素電極４Ａに電圧−Ｖ１ｂがずれフレーム数分印加されるまで、本ステップの処理を繰り返す。そして、肯定判定の場合には、ステップＳ４０へ移行する。
【００７１】
既に説明したように、フレームとは、例えば画素電極４がＴＦＴ電極の場合に、表示媒体１０に含まれる全ての画素電極４の各々に順次電圧を印加するのに要する時間を表す単位である。なお、ずれフレーム数は、例えば、不揮発性メモリ４０４の予め定めた領域に予め記憶されているものとする。
【００７２】
本ステップの処理により、図７に示すように、ずれフレーム数に相当する時刻ｔ１から時刻ｔ１’までの期間に亘って、画素電極４Ａへの印加電圧が電圧−Ｖ１ｂに維持されると共に、画素電極４Ｂへの印加電圧が０Ｖに維持される。
【００７３】
そして、ステップＳ４０では、画素電極４Ｂへの印加電圧が電圧−Ｖ１ｂとなるように、電圧印加部３０を制御する。この際、画素電極４Ａへの印加電圧は、引き続き電圧−Ｖ１ｂのままとする。本ステップの処理により、図７に示すように、例えば、時刻ｔ１’において画素電極４Ａ及び画素電極４Ｂに印加される電圧は、共に電圧−Ｖ１ｂとなる。
【００７４】
そして、ステップＳ５０では、予め定めた第２のフレーム数（白リセットフレーム数）に亘って、画素電極４Ａ及び画素電極４Ｂに電圧−Ｖ１ｂが印加されたか否かを判定する。当該判定が否定判定の場合には、画素電極４Ａ及び画素電極４Ｂに電圧−Ｖ１ｂが白リセットフレーム数分印加されるまで、本ステップの処理を繰り返す。そして、肯定判定の場合には、ステップＳ６０へ移行する。
【００７５】
本ステップの処理により、図７に示すように、白リセットフレーム数に相当する時刻ｔ１’から時刻ｔ２までの期間に亘って、画素電極４Ａ及び画素電極４Ｂへの印加電圧が電圧−Ｖ１ｂに維持される。
【００７６】
また、本ステップの処理により、図８（Ｃ）に示すように、各画素の黒色粒子群１１Ｋが背面基板２側に付着して、画素Ａ及び画素Ｂ共に白色を表示する。このように、画素電極４に印加する電圧を制御して、各画素の表示色が白色になるように表示媒体１０の黒色粒子群１１Ｋを駆動することを白リセット駆動という。
【００７７】
次に、ステップＳ６０では、画素電極４Ａへの印加電圧を０Ｖとすると共に、画素電極４Ｂへの印加電圧が電圧Ｖ１ｂとなるように、電圧印加部３０を制御する。
【００７８】
本ステップの処理により、図７に示すように、時刻ｔ２における画素電極４Ｂへの印加電圧は電圧Ｖ１ｂとなり、画素電極４Ａへの印加電圧は０Ｖとなる。
【００７９】
また、本ステップの処理により、図８（Ｄ）に示すように、画素Ｂの黒色粒子群１１Ｋが表示基板１側に移動する。この場合、電圧Ｖ１ｂによって形成された電界は、画素Ｂだけでなく、例えば矢印Ｒ２方向に沿って、画素Ｂに隣接する画素Ａにも影響を与える。従って、画素Ｂに含まれる黒色粒子群１１Ｋのうち、より画素Ａに近い場所に位置する黒色粒子１１Ｋは、画素Ｂの表示基板１側ではなく、画素Ａの表示基板１側へ移動する。すなわち、画素Ａに含まれる黒色粒子群１１Ｋの粒子量＞画素Ｂに含まれる黒色粒子群１１Ｋの粒子量、の大小関係を維持したまま、画素Ａに含まれる黒色粒子群１１Ｋの粒子量は、ステップＳ３０の処理が終了した時点で画素Ａに含まれる黒色粒子群１１Ｋの粒子量よりも更に多くなる。
【００８０】
次に、ステップＳ７０では、ずれフレーム数に亘って、画素電極４Ｂに電圧Ｖ１ｂが印加されたか否かを判定する。当該判定が否定判定の場合には、画素電極４Ｂに電圧Ｖ１ｂがずれフレーム数分印加されるまで、本ステップの処理を繰り返す。そして、肯定判定の場合には、ステップＳ８０へ移行する。
【００８１】
本ステップの処理により、図７に示すように、ずれフレーム数に相当する時刻ｔ２から時刻ｔ２’までの期間に亘って、画素電極４Ｂへの印加電圧が電圧Ｖ１ｂに維持されると共に、画素電極４Ａへの印加電圧が０Ｖに維持される。
【００８２】
そして、ステップＳ８０では、画素電極４Ａへの印加電圧が電圧Ｖ１ｂとなるように、電圧印加部３０を制御する。この際、画素電極４Ｂへの印加電圧は、引き続き電圧Ｖ１ｂのままとする。本ステップの処理により、図７に示すように、例えば、時刻ｔ２’において画素電極４Ａ及び画素電極４Ｂに印加される電圧は、共に電圧Ｖ１ｂとなる。
【００８３】
そして、ステップＳ９０では、予め定めた第３のフレーム数（黒リセットフレーム数）に亘って、画素電極４Ａ及び画素電極４Ｂに電圧Ｖ１ｂが印加されたか否かを判定する。
【００８４】
当該判定が否定判定の場合には、画素電極４Ａ及び画素電極４Ｂに電圧Ｖ１ｂが黒リセットフレーム数分印加されるまで、本ステップの処理を繰り返す。そして、肯定判定の場合には、ステップＳ１００へ移行する。
【００８５】
本ステップの処理により、図７に示すように、黒リセットフレーム数に相当する時刻ｔ２’から時刻ｔ３までの期間に亘って、画素電極４Ａ及び画素電極４Ｂへの印加電圧が電圧Ｖ１ｂに維持される。
【００８６】
また、本ステップの処理により、図８（Ｅ）に示すように、各画素の黒色粒子群１１Ｋが表示基板１側に付着して、画素Ａ及び画素Ｂ共に黒色を表示する。このように、画素電極４に印加する電圧を制御して、各画素の表示色が黒色になるように表示媒体１０の黒色粒子群１１Ｋを駆動することを黒リセット駆動という。
【００８７】
ステップＳ１００では、画素電極４Ａ及び画素電極４Ｂへの印加電圧が０Ｖとなるように、電圧印加部３０を制御する。
【００８８】
以上、図６に示したリセット電圧印加処理により、画素Ａに含まれる黒色粒子群１１Ｋの粒子量の方が、画素Ｂに含まれる黒色粒子群１１Ｋの粒子量より多い状態となる。
【００８９】
次に、リセット電圧印加処理終了後に、画素Ａを黒色、画素Ｂを白色とする画像を表示する場合の、各画素における黒色粒子群１１Ｋの状況について説明する。
【００９０】
この場合、画素Ｂの表示色を白色とするため、図７に示すように、例えば時刻ｔ４から時刻ｔ５までの期間に亘って、画素電極４Ｂに電圧−Ｖ１ｂが印加される。画素電極４Ｂに電圧−Ｖ１ｂが印加されると、画素Ｂに含まれる黒色粒子群１１Ｋは、図８（Ｆ）に示すように、表示基板１側から剥離して背面基板２側へ移動する。既に説明したように、電圧−Ｖ１ｂによって形成された電界は画素Ｂだけでなく、例えば矢印Ｒ３方向に沿って、画素Ｂに隣接する画素Ａにも影響を与える。そのため、表示基板１側に付着する画素Ａに含まれる黒色粒子群１１Ｋのうち、より画素Ｂに近い場所に位置する黒色粒子１１Ｋが表示基板１側から剥離し、画素Ｂの背面基板２側へ移動する。
【００９１】
すなわち、画像情報に応じた画像を表示する駆動電圧の印加により、画素Ａに含まれる黒色粒子１１Ｋが画素Ｂに移動することになる。しかし、図６に示したリセット電圧印加処理実施後には、画素Ａに含まれる黒色粒子群１１Ｋの粒子量が、画素Ｂに含まれる黒色粒子群１１Ｋの粒子量より多くなっている。従って、画素Ｂに駆動電圧を印加しても、画素Ａ及び画素Ｂに含まれる黒色粒子群１１Ｋの粒子量のばらつきが予め定めた範囲内に抑えられる（図８（Ｇ）参照）ため、画素間の画像の表示濃度のばらつきが抑制されることになる。
【００９２】
図９に、図６に示したリセット電圧印加処理を実施した場合の実験結果を示す。図９（Ａ）は、例えば、図４に示した電圧波形のように、画素の各々に印加されるリセット電圧の印加タイミングを揃えたうえで、画像情報に応じた画像を予め定めた回数まで繰り返し表示した場合に、表示媒体１０に表示される画像の一例を示した図である。
【００９３】
一方、図９（Ｂ）は、例えば図７に示した電圧波形のように、白リセット駆動におけるリセット電圧の印加タイミング、及び、黒リセット駆動におけるリセット電圧の印加タイミングを隣接する画素間で異ならせたうえで、画像情報に応じた画像を予め定めた回数まで繰り返し表示した場合に、表示媒体１０に表示される画像の一例を示した図である。
【００９４】
図９（Ａ）の画像は、図９（Ｂ）の画像に比べて画像の線が細くなり、場所によっては画像のかすれ等が発生する場合があることが認められる。
【００９５】
一方、図９（Ｂ）の画像は、図９（Ａ）の画像に比べて画像の表示濃度のばらつきが少なく、より画像の明瞭性が向上していることがわかる。
【００９６】
具体的には、例えば、各々の画素の画素電極４に印加されるリセット電圧の印加タイミングを揃えたうえで、１画素幅の線を１０回繰り返して表示媒体１０に表示した後の平均光学濃度変化率（平均ＯＤ変化率）が７．８％であるのに対して、本実施形態におけるリセット電圧印加処理を実行して、１画素幅の線を１０回繰り返して表示媒体１０に表示した後の平均ＯＤ変化率は２．７％であった。
【００９７】
更に、発明者らは、ステップＳ３０及びステップＳ７０の処理でのずれフレーム数が、画素間における黒色粒子１１Ｋの移動量に与える影響を評価した。
【００９８】
表１は、白リセット駆動におけるずれフレーム数と、黒リセット駆動におけるずれフレーム数との各々の組み合わせを用いて、隣接する画素で異なる表示色を表示する画像を１回表示した後の平均ＯＤ変化率を表した表である。なお、本実施形態における１フレームは約４０ｍｓに相当する。
【００９９】
【表１】
2015148685.tif 000003
【０１００】
また、図１０は、表１の評価結果を、縦軸に平均ＯＤ変化率、横軸にずれフレーム数をとったグラフで表したものである。
【０１０１】
表１及び図１０の評価結果から、黒リセット駆動の際のずれフレーム数を０にした場合、すなわち、黒リセット駆動での画素電極４に印加するリセット電圧の印加タイミングを各画素で揃えた上で、白リセット駆動でのずれフレーム数のみを変化させた場合の平均ＯＤ変化率を見ると、ずれフレーム数が４の場合に最大２．１％となっている。
【０１０２】
これに対して、白リセット駆動の際のずれフレーム数を０にした場合、すなわち、白リセット駆動での画素電極４に印加するリセット電圧の印加タイミングを各画素で揃えた上で、黒リセット駆動でのずれフレーム数のみを変化させた場合の平均ＯＤ変化率を見ると、ずれフレーム数が６の場合に最大６．５％となっている。
【０１０３】
以上の結果から、白リセット駆動の際に、隣接する画素の各々に印加するリセット電圧の印加タイミングをずらすよりも、黒リセット駆動の際に、隣接する画素の各々に印加するリセット電圧の印加タイミングをずらした方が、画素間における黒色粒子１１Ｋの移動量に与える影響の度合いが大きいことがわかる。すなわち、ステップＳ７０の処理の方が、ステップＳ３０の処理よりも、画素間における黒色粒子１１Ｋの移動量に与える影響の度合いが大きい。
【０１０４】
従って、例えば、白リセット駆動及び黒リセット駆動の両方のリセット駆動において、ずれフレーム数を考慮した電圧印加シーケンスを実行しなくても、少なくとも黒リセット駆動において、隣接する画素の各々に印加するリセット電圧の印加タイミングをずらすようにすれば、駆動電圧を印加した際の画像の表示濃度のばらつきが抑制される効果が期待される。
【０１０５】
また、表１及び図１０の評価結果から、ずれフレーム数をより大きくした方が、画素間における黒色粒子１１Ｋの移動量が多くなる傾向が見られることがわかる。
【０１０６】
従って、例えば、図８（Ｆ）に示されるように、画素Ｂに駆動電圧−Ｖ１ｂを印加して画素Ａの表示色を黒色、画像Ｂの表示色を白色にする場合、画素Ｂに表示すべき白色の表示濃度が高くなるほど、画素Ｂにより強い電界を形成して、表示基板１側から背面基板２側に、より多くの黒色粒子１１Ｋを移動させる必要がある。これに伴い、画素Ａから画素Ｂに移動する黒色粒子群１１Ｋの粒子量も多くなる。
【０１０７】
従って、この場合、駆動電圧印加後の画素間の画像の表示濃度のばらつきを抑制するためには、図６のリセット電圧印加処理において、ずれフレーム数をより大きくして、画素Ａに含まれる黒色粒子１１Ｋの量を増加させておけばよい。
【０１０８】
また、図６のリセット電圧印加処理では、図７に示すように、ステップＳ３０の処理によって形成される時刻ｔ１から時刻ｔ１’までの期間（白リセットずれ期間）に、画素Ａに印加するリセット電圧（初期リセット電圧）の大きさを、時刻ｔ１’から時刻ｔ２までの期間（白リセット共通期間）に画素Ａに印加するリセット電圧と同じ大きさとした。
【０１０９】
しかし、白リセットずれ期間及び白リセット共通期間で、画素Ａに印加するリセット電圧の大きさを共通にする必要はない。
【０１１０】
同様に、図６のリセット電圧印加処理では、図７に示すように、ステップＳ７０の処理によって形成される時刻ｔ２から時刻ｔ２’までの期間（黒リセットずれ期間）に、画素Ｂに印加する初期リセット電圧の大きさを、時刻ｔ２’から時刻ｔ３までの期間（黒リセット共通期間）に画素Ｂに印加するリセット電圧と同じ大きさとした。
【０１１１】
しかし、黒リセットずれ期間及び黒リセット共通期間で、画素Ｂに印加するリセット電圧の大きさを共通にする必要はない。なお、白リセットずれ期間及び黒リセットずれ期間を総称して、単に「ずれ期間」と称する場合がある。
【０１１２】
そこで、発明者らは、図１１に示されるように、画素Ａの画素電極４Ａに、白リセットずれ期間と白リセット共通期間とで異なる電圧を印加すると共に、画素Ｂの画素電極４Ｂに、黒リセットずれ期間と黒リセット共通期間とで異なる電圧を印加して、初期リセット電圧が画素間における黒色粒子１１Ｋの移動量に与える影響を評価した。
【０１１３】
なお、当該評価では、一例として、白リセット駆動におけるずれフレーム数と、黒リセット駆動におけるずれフレーム数とを共に２フレームとした。また、白リセット共通期間及び黒リセット共通期間におけるリセット電圧の絶対値を３０Ｖにした上で、初期リセット電圧の絶対値を１０Ｖ、２０Ｖ、及び３０Ｖに変化させて、画像を１回表示した後の平均ＯＤ変化率を比べた。
【０１１４】
図１２は、当該評価結果を、縦軸に平均ＯＤ変化率、横軸にずれフレーム数をとったグラフで表したものである。
【０１１５】
図１２の評価結果から、初期リセット電圧が大きくなるに従って、画素間における黒色粒子１１Ｋの移動量に与える影響の度合いが大きくなることがわかる。
【０１１６】
従って、例えば、図８（Ｆ）に示されるように、画素Ｂに駆動電圧−Ｖ１ｂを印加して画素Ａの表示色を黒色、画像Ｂの表示色を白色にする場合、画素Ｂに表示すべき白色の表示濃度が高くなるほど、画素Ｂにより強い電界を形成して、表示基板１側から背面基板２側に、より多くの黒色粒子１１Ｋを移動させる必要がある。これに伴い、画素Ｂに表示すべき白色の表示濃度が高くなるほど、画素Ａから画素Ｂに移動する黒色粒子群１１Ｋの粒子量も多くなる。
【０１１７】
従って、この場合、駆動電圧印加後の画素間の画像の表示濃度のばらつきを抑制するためには、図６のリセット電圧印加処理において、初期リセット電圧をより大きくして、画素Ａに含まれる黒色粒子１１Ｋの量を増加させておけばよい。
【０１１８】
更に、発明者らは、本実施形態におけるリセット電圧印加処理において、ずれフレーム数と初期リセット電圧とが、画素間における黒色粒子１１Ｋの移動量に与える影響を評価した。
【０１１９】
なお、当該評価では、一例として、白リセット駆動におけるずれフレーム数と、黒リセット駆動におけるずれフレーム数とを共に２フレームとした。また、白リセット共通期間及び黒リセット共通期間におけるリセット電圧の絶対値を３０Ｖにしたうえで、初期リセット電圧の絶対値を１０Ｖ、２０Ｖ、及び３０Ｖに変化させた。そして、１画素幅の黒色の線を１０回繰り返して表示媒体１０に表示した後に、１回目の線の濃度と１０回目の線の濃度との平均ＯＤ変化率を評価した。
【０１２０】
図１３は、当該評価結果を、縦軸に平均ＯＤ変化率、横軸にずれフレーム数をとったグラフで表したものである。なお、ずれフレーム数がプラスとは、隣接する画素に印加するリセット電圧の印加タイミングが、図１１に示したタイミングである場合をいう。具体的には、画素Ｂより先に画素Ａに白リセット駆動における初期リセット電圧をし、画素Ａより先に画素Ｂに黒リセット駆動における初期リセット電圧を印加するタイミングをプラスとした。ずれフレーム数がマイナスとは、図１１に示した初期化リセット電圧の印加タイミングと逆の印加タイミングであることを意味する。
【０１２１】
図１３の評価結果から、白リセット駆動におけるずれフレーム数と、黒リセット駆動におけるずれフレーム数とを共に２フレームとした場合には、初期化リセット電圧を２０Ｖとすれば、画素間の表示濃度のばらつきが抑制されることがわかる。
【０１２２】
これは、白リセット駆動におけるずれフレーム数と、黒リセット駆動におけるずれフレーム数とが共に２フレームの場合に、初期リセット電圧の絶対値を３０Ｖにすると、線を表示する画素に戻される黒色粒子１１Ｋの粒子量が過剰となり、逆に、初期リセット電圧の絶対値を１０Ｖとすると、線を表示する画素に戻される黒色粒子１１Ｋの粒子量が不足するためと推測される。
【０１２３】
このように本実施形態によれば、隣接する画素の各々で異なる表示色を表示させる場合、指示された画像情報に応じた画像を表示する駆動電圧を印加する前に、隣接する画素の各々に印加するリセット電圧の印加タイミングをずらすようにした。
【０１２４】
これにより、隣接する画素の各々に含まれる粒子量が個別に調整され、画像情報に応じた画像を表示するため、隣接する画素のうち一方の画素に駆動電圧した場合であっても、隣接する画素の各々に含まれる粒子量が予め定めた範囲内に収まるようになった。従って、表示媒体１０に繰り返し画像を表示しても、画素間の濃度のばらつきを抑制する効果が期待される。
【０１２５】
なお、本実施形態の黒色粒子群１１Ｋは、正極に帯電したものとして説明したが、負極に帯電したものであってもよい。黒色粒子群１１Ｋが負極に帯電している場合は、画素電極４に印加する電圧の波形を、例えば、図７に示した電圧の波形の正負を逆転したものとすればよい。
【０１２６】
＜第２実施形態＞
【０１２７】
次に、本発明の第２実施形態に係るリセット電圧印加処理を実行する際の、表示装置１００の作用に関して説明する。
【０１２８】
第１実施形態では、画素の各々において、一対の基板１、２間に形成された電界に応じて基板１、２間を移動する粒子群は、黒色粒子群１１Ｋの１種類であった。第２実施形態では、画素の各々に、同極に帯電した２種類の粒子群が含まれる場合のリセット電圧印加処理について説明する。
【０１２９】
図１４は、第２実施形態における表示装置１００を概略的に示した図である。第１実施形態における図１の表示装置１００と異なる点は、黒色粒子群１１Ｋの替わりに、シアン色粒子群１１Ｃ及び赤色粒子群１１Ｒが各画素の分散媒６中に含まれている点であり、その他の構成は第１実施形態と同様である。
【０１３０】
本実施形態の場合、シアン色粒子群１１Ｃ及び赤色粒子群１１Ｒは共に正極に帯電しているものとするが、シアン色粒子群１１Ｃ及び赤色粒子群１１Ｒは同極に帯電されていればよく、共に負極に帯電していてもよい。また、シアン色粒子群１１Ｃ及び赤色粒子群１１Ｒの粒径及び色に制限はなく、粒子群１１の応答性や画像の表示色等に応じて適宜設定すればよい。また、本実施形態における赤色粒子群１１Ｒは、一例として、透光性を有するものとして説明するが、粒子群１１の透光性に関する制限もない。
【０１３１】
図１５は、本実施形態に係る表示装置１００において、各粒子群１１の閾値特性を示したものである。
【０１３２】
図１５において、シアン色粒子群１１Ｃの閾値特性は特性５０Ｃで表され、赤色粒子群１１Ｒの閾値特性は特性５０Ｒで表されている。
【０１３３】
シアン色粒子群１１Ｃは、閾値Ｖ１ａを超える電圧が画素電極４に印加されると、背面基板２側に付着していたシアン色粒子群１１Ｃが背面基板２側から剥離して、基板１、２間に形成された電界に応じて表示基板１側へ移動する。また、シアン色粒子群１１Ｃは、閾値−Ｖ１ａ未満の電圧が画素電極４に印加されると、表示基板１側に付着していたシアン色粒子群１１Ｃが表示基板１側から剥離して、基板１、２間に形成された電界に応じて背面基板２側へ移動する。
【０１３４】
一方、赤色粒子群１１Ｒは、閾値Ｖ２ａを超える電圧が画素電極４に印加されると、背面基板２側に付着していた赤色粒子群１１Ｒが背面基板２側から剥離し始め、基板１、２間に形成された電界に応じて表示基板１側へ移動する。また、赤色粒子群１１Ｒは、閾値−Ｖ２ａ未満の電圧が画素電極４に印加されると、表示基板１側に付着していた赤色粒子群１１Ｒが表示基板１側から剥離し始め、基板１、２間に形成された電界に応じて背面基板２側へ移動する。
【０１３５】
なお、シアン色粒子群１１Ｃ及び赤色粒子群１１Ｒの閾値の大きさに関して、｜Ｖ１ａ｜＜｜Ｖ１｜＜｜Ｖ２ａ｜＜｜Ｖ２｜であるものとするが、粒子群１１の閾値の大小関係はこれに限定されない。
【０１３６】
図１６は、本実施形態に係るリセット電圧印加処理を実行する際に、表示装置１００のＣＰＵ４０１により実行される表示媒体１０の駆動プログラムの処理の流れを示すフローチャートである。当該駆動プログラムは、例えば、ＣＰＵ４０１が図示しない通信手段等を介して表示媒体１０への画像の表示指示を受け付ける毎に、ＣＰＵ４０１により実行される。
【０１３７】
まず、ステップＳ１５では、図６に示したリセット電圧印加処理（第１リセット処理）を実行する。この際、白リセット駆動におけるリセット電圧の大きさを、シアン色粒子群１１Ｃ及び赤色粒子群１１Ｒを共に移動させる電圧の大きさ、例えば、電圧−Ｖ２以下の電圧である電圧−Ｖ２ｂとした。同様に、黒リセット駆動におけるリセット電圧の大きさを、例えば、電圧Ｖ２以上の電圧である電圧Ｖ２ｂとした。
【０１３８】
図１７（Ａ）〜図１７（Ｄ）は、第１リセット処理を実行した際の、各画素におけるシアン色粒子群１１Ｃ及び赤色粒子群１１Ｒの状態を示した図である。この場合、シアン色粒子群１１Ｃ及び赤色粒子群１１Ｒは、図８に示した、第１実施形態における黒色粒子群１１Ｋと同様の動きを示す。
【０１３９】
第１リセット処理終了後は、図１７（Ｅ）に示すように、画素Ａに含まれるシアン色粒子群１１Ｃ及び赤色粒子群１１Ｒの粒子量の方が、画素Ｂに含まれるシアン色粒子群１１Ｃ及び赤色粒子群１１Ｒの粒子量より多くなる。
【０１４０】
そして、ステップＳ２５では、画素Ａでの表示色を黒色、画素Ｂでの表示色を白色とする駆動電圧が画素電極４に印加されるように、電圧印加部３０を制御する。具体的には、画素電極４Ｂに駆動電圧−Ｖ２ｂが印加されるように、電圧印加部３０を制御する。
【０１４１】
画素電極４Ｂに電圧−Ｖ２ｂが印加されると、画素Ｂに含まれるシアン色粒子群１１Ｃ及び赤色粒子群１１Ｒ、並びに、画素Ａに含まれるシアン色粒子群１１Ｃ及び赤色粒子群１１Ｒの一部の粒子が、図１７（Ｆ）に示すように、表示基板１側から剥離して画素Ｂの背面基板２側へ移動する。
【０１４２】
その結果、既に第１実施形態において説明したように、画素Ａ及び画素Ｂに含まれるシアン色粒子群１１Ｃ及び赤色粒子群１１Ｒの粒子量のばらつきが、予め定めた範囲内に抑えられる。この際、画素Ａが黒色、画素Ｂが白色を示す（図１７（Ｇ）参照）。
【０１４３】
次に、ステップＳ３５では、ステップＳ１５の処理において読み込んだ、隣接する画素の各々に表示する表示色が、白色及び黒色の組み合わせか否かを判定する。そして、肯定判定の場合には、既にステップ１５及びステップＳ２５の処理により、隣接する画素の一方が白色、他方が黒色に表示されていることから、本リセット電圧印加処理を終了する。一方、否定判定の場合には、ステップＳ４５へ移行する。
【０１４４】
ステップＳ４５では、隣接する画素の各々に表示する表示色を、白色及び黒色の組み合わせ以外にするためのリセット電圧印加処理（第２リセット処理）を実行する。本実施形態における第２リセット処理では、例えば、画素Ａを赤色、画像Ｂをシアン色とする画像の表示指示を受け付けた場合のリセット電圧印加処理を実行する。
【０１４５】
そのためには、第２リセット処理では、閾値の大きさがより低いシアン色粒子群１１Ｃに対して、第１リセット処理と同様の処理を実施する。そして、画素Ｂの表示基板１側に付着するシアン色粒子群１１Ｃの粒子量を、画素Ａの表示基板１側に付着するシアン色粒子群１１Ｃの粒子量より予め多くしておく。
【０１４６】
図１８は、ＣＰＵ４０１により実行される、第２リセット処理の流れを示すフローチャートである。
【０１４７】
まず、ステップＳ２００では、画素Ａ及び画素Ｂに含まれるシアン色粒子群１１Ｃを表示基板１側へ移動させるため、画素電極４Ａ及び画素電極４Ｂへの印加電圧が、電圧Ｖ１≦電圧Ｖ１ｃ＜電圧Ｖ２ａである電圧Ｖ１ｃとなるように、電圧印加部３０を制御する。
【０１４８】
本ステップの処理により、図１９（Ａ）に示すように、画素Ａ及び画素Ｂに含まれるシアン色粒子群１１Ｃが表示基板１側に付着する。そして、シアン色粒子群１１Ｃが表示基板１側に付着するのに十分な期間が経過した後、画素電極４Ａ及び画素電極４Ｂへの印加電圧を停止するように、電圧印加部３０を制御する。
【０１４９】
ステップＳ２１０では、画素電極４Ｂへの印加電圧が、電圧−Ｖ２ａ＜電圧−Ｖ１ｃ≦電圧−Ｖ１である電圧−Ｖ１ｃとなるように、電圧印加部３０を制御する。この際、画素電極４Ａへの印加電圧は０Ｖのままとする。
【０１５０】
本ステップ実行前には、図１９（Ａ）に示されるように、画素Ｂの表示基板１側に付着していたシアン色粒子群１１Ｃが、本ステップの処理を実行することによって、図１９（Ｂ）に示されるように、背面基板２側に引き寄せされる。
【０１５１】
この場合、既に説明したように、電圧−Ｖ１ｃによって形成された電界が画素Ｂだけでなく、例えば矢印Ｒ４方向に沿って、画素Ｂに隣接する画素Ａにも影響を与える。従って、画素Ａに含まれるシアン色粒子群１１Ｃのうち、より画素Ｂに近い場所に位置するシアン色粒子１１Ｃが表示基板１側から剥離し、画素Ｂの背面基板２側へ移動する。すなわち、画素Ｂに含まれるシアン色粒子群１１Ｃの粒子量の方が、画素Ａに含まれるシアン色粒子群１１Ｃの粒子量よりも多くなる。
【０１５２】
次に、ステップＳ２２０では、予め定めたずれフレーム数に亘って、画素電極４Ｂに電圧−Ｖ１ｃが印加されたか否かを判定する。当該判定が否定判定の場合には、画素電極４Ｂに電圧−Ｖ１ｃがずれフレーム数分印加されるまで、本ステップの処理を繰り返す。そして、肯定判定の場合には、ステップＳ２３０へ移行する。
【０１５３】
そして、ステップＳ２３０では、画素電極４Ａへの印加電圧が電圧−Ｖ１ｃとなるように、電圧印加部３０を制御する。この際、画素電極４Ｂへの印加電圧は、引き続き電圧−Ｖ１ｃのままとする。
【０１５４】
そして、ステップＳ２４０では、予め定めたフレーム数（シアンリセットフレーム数）に亘って、画素電極４Ａ及び画素電極４Ｂに電圧−Ｖ１ｃが印加されたか否かを判定する。当該判定が否定判定の場合には、画素電極４Ａ及び画素電極４Ｂに電圧−Ｖ１ｃがシアンリセットフレーム数分印加されるまで、本ステップの処理を繰り返す。そして、肯定判定の場合には、ステップＳ２５０へ移行する。
【０１５５】
本ステップの処理により、図１９（Ｃ）に示すように、各画素のシアン色粒子群１１Ｃは背面基板２側に付着して、画素Ａは赤色、画素Ｂは白色を表示する。
【０１５６】
次に、ステップＳ２５０では、画素電極４Ｂへの印加電圧を０Ｖとすると共に、画素電極４Ａへの印加電圧が電圧Ｖ１ｃとなるように、電圧印加部３０を制御する。
【０１５７】
本ステップの処理により、図１９（Ｄ）に示すように、画素Ａのシアン色粒子群１１Ｃが表示基板１側に移動する。この場合、電圧Ｖ１ｃによって形成された電界は、画素Ａだけでなく、例えば矢印Ｒ５方向に沿って、画素Ａに隣接する画素Ｂにも影響を与える。従って、画素Ａに含まれるシアン色粒子群１１Ｃのうち、より画素Ｂに近い場所に位置するシアン色粒子１１Ｃは、画素Ａの表示基板１側ではなく、画素Ｂの表示基板１側へ移動する。すなわち、画素Ｂに含まれるシアン色粒子群１１Ｃの粒子量＞画素Ａに含まれるシアン色粒子群１１Ｃ、の粒子量の大小関係を維持したまま、画素Ｂに含まれるシアン色粒子群１１Ｃの粒子量は、ステップＳ２２０の処理が終了した時点で画素Ｂに含まれるシアン色粒子群１１Ｃの粒子量よりも更に多くなる。
【０１５８】
次に、ステップＳ２６０では、ずれフレーム数に亘って、画素電極４Ａに電圧Ｖ１ｃが印加されたか否かを判定する。当該判定が否定判定の場合には、画素電極４Ａに電圧Ｖ１ｃがずれフレーム数分印加されるまで、本ステップの処理を繰り返す。そして、肯定判定の場合には、ステップＳ２７０へ移行する。
【０１５９】
そして、ステップＳ２７０では、画素電極４Ｂへの印加電圧が電圧Ｖ１ｃとなるように、電圧印加部３０を制御する。この際、画素電極４Ａへの印加電圧は、引き続き電圧Ｖ１ｃのままとする。
【０１６０】
そして、ステップＳ２８０では、シアンリセットフレーム数に亘って、画素電極４Ａ及び画素電極４Ｂに電圧Ｖ１ｃが印加されたか否かを判定する。
【０１６１】
当該判定が否定判定の場合には、画素電極４Ａ及び画素電極４Ｂに電圧Ｖ１ｃがシアンリセットフレーム数分印加されるまで、本ステップの処理を繰り返す。そして、肯定判定の場合には、ステップＳ２９０へ移行する。
【０１６２】
本ステップの処理により、図１９（Ｅ）に示すように、各画素のシアン色粒子群１１Ｃは表示基板１側に付着して、画素Ａは黒色、画素Ｂはシアン色を表示する。
【０１６３】
ステップＳ２９０では、画素電極４Ａ及び画素電極４Ｂへの印加電圧が０Ｖとなるように、電圧印加部３０を制御して、画素Ａ及び画素Ｂへのリセット電圧の印加を停止する。
【０１６４】
以上、図１８に示した第２リセット処理により、画素Ｂの表示基板１側に付着するシアン色粒子群１１Ｃの粒子量の方が、画素Ａの表示基板１側に付着するシアン色粒子群１１Ｃの粒子量より多くなる。
【０１６５】
そして、図１６のステップＳ５５では、画素電極４Ａに駆動電圧−Ｖ１ｃが印加されるように、電圧印加部３０を制御する。本ステップの処理により、画素Ａに含まれるシアン色粒子群１１Ｃは、図１９（Ｆ）に示すように、表示基板１側から剥離して背面基板２側へ移動する。また、電圧−Ｖ１ｃによって形成された電界は画素Ａだけでなく、例えば矢印Ｒ６方向に沿って、画素Ａに隣接する画素Ｂにも影響を与える。
【０１６６】
そのため、表示基板１側に付着する画素Ｂに含まれるシアン色粒子群１１Ｃのうち、より画素Ａに近い場所に位置するシアン色粒子１１Ｃが表示基板１側から剥離し、画素Ａの背面基板２側へ移動する。
【０１６７】
しかし、ステップＳ４５の処理により、画素Ｂの表示基板１側に付着するシアン色粒子群１１Ｃの粒子量は、画素Ａの表示基板１側に付着するシアン色粒子群１１Ｃの粒子量より多くなっている。従って、駆動電圧を印加することで、画素Ａ及び画素Ｂに含まれるシアン色粒子群１１Ｃの粒子量のばらつきが予め定めた範囲内に抑えられ、画素間の画像の表示濃度のばらつきが抑制されることになる。
【０１６８】
このように本実施形態では、同極に帯電した２種類の粒子群１１が表示媒体１０に封入される場合であっても、表示媒体１０に表示すべき表示色に応じて、隣接する画素の各々に印加するリセット電圧の印加シーケンスを変更することにより、隣接する画素の各々に異なる表示色を表示する画像を繰り返し表示しても、画素間の濃度のばらつきが抑制されるようにした。
【０１６９】
具体的には、隣接する画素で白色及び黒色を表示する場合には、第１実施形態におけるリセット電圧印加処理と同様の処理を実行する。また、隣接する画素で白色及び黒色以外の組み合わせを表示する場合には、ステップＳ２５及びステップＳ５５の各々の駆動電圧印加前に、第１実施形態におけるリセット電圧印加処理と同様の処理を実行する。
【０１７０】
これにより、隣接する画素の各々に含まれる粒子量が個別に調整され、画像情報に応じた画像を表示するため、隣接する画素のうち一方の画素に駆動電圧した場合であっても、隣接する画素の各々に含まれる粒子量が予め定めた範囲内に収まる。従って、表示媒体１０に繰り返し画像を表示しても、画素間の濃度のばらつきを抑制する効果が期待される。
【０１７１】
なお、第１実施形態と同様に、本実施形態におけるリセット電圧印加処理に対して、画素に表示すべき画像の表示濃度に応じて、ずれフレーム数及び初期リセット電圧の少なくとも一方を調整することにより、画素間の濃度のばらつきをより抑制する効果が期待される。
【０１７２】
＜第３実施形態＞
【０１７３】
次に、本発明の第３実施形態に係るリセット電圧印加処理を実行する際の、表示装置１００の作用に関して説明する。
【０１７４】
第２実施形態では、画素の各々において、一対の基板１、２間に形成された電界に応じて基板１、２間を移動する粒子群は、同極に帯電したシアン色粒子群１１Ｃ及び赤色粒子群１１Ｒであった。第３実施形態では、画素の各々に、異極に帯電した２種類の粒子群が含まれる場合のリセット電圧印加処理について説明する。
【０１７５】
なお、第３実施形態における表示装置１００が、第２実施形態における表示装置１００と異なる点は、シアン色粒子群１１Ｃが負極、赤色粒子群１１Ｒが正極に帯電している点であり、その他の構成は、図１４に示した表示装置１００の構成と同様である。
【０１７６】
なお、シアン色粒子群１１Ｃ及び赤色粒子群１１Ｒは、互いに異極に帯電していればよく、シアン色粒子群１１Ｃが正極、赤色粒子群１１Ｒが負極に帯電していてもよい。
【０１７７】
図２０は、本実施形態に係る表示装置１００において、各粒子群１１の閾値特性を示したものである。
【０１７８】
シアン色粒子群１１Ｃは、閾値Ｖ１ａを超える電圧が画素電極４に印加されると、表示基板１側に付着していたシアン色粒子群１１Ｃが表示基板１側から剥離して、基板１、２間に形成された電界に応じて背面基板２側へ移動する。また、シアン色粒子群１１Ｃは、閾値−Ｖ１ａ未満の電圧が画素電極４に印加されると、背面基板２側に付着していたシアン色粒子群１１Ｃが背面基板２側から剥離して、基板１、２間に形成された電界に応じて表示基板１側へ移動する。
【０１７９】
一方、赤色粒子群１１Ｒは、閾値Ｖ２ａを超える電圧が画素電極４に印加されると、背面基板２側に付着していた赤色粒子群１１Ｒが背面基板２側から剥離し始め、基板１、２間に形成された電界に応じて表示基板１側へ移動する。また、赤色粒子群１１Ｒは、閾値−Ｖ２ａ未満の電圧が画素電極４に印加されると、表示基板１側に付着していた赤色粒子群１１Ｒが表示基板１側から剥離し始め、基板１、２間に形成された電界に応じて背面基板２側へ移動する。
【０１８０】
なお、シアン色粒子群１１Ｃ及び赤色粒子群１１Ｒの閾値の大きさに関して、｜Ｖ１ａ｜＜｜Ｖ１｜＜｜Ｖ２ａ｜＜｜Ｖ２｜であるものとするが、粒子群１１の閾値の大小関係はこれに限定されない。
【０１８１】
図２１は、本実施形態に係るリセット電圧印加処理を実行する際に、表示装置１００のＣＰＵ４０１により実行される表示媒体１０の駆動プログラムの処理の流れを示すフローチャートである。当該駆動プログラムは、例えば、ＣＰＵ４０１が図示しない通信手段等を介して表示媒体１０への画像の表示指示を受け付ける毎に、ＣＰＵ４０１により実行される。
【０１８２】
なお、シアン色粒子群１１Ｃは背面基板２側に予め付着し、赤色粒子群１１Ｒは表示基板１側に予め付着しているものとして説明する。
【０１８３】
まず、ステップＳ１５では、図６に示した第１リセット処理を実行する。この際、白リセット駆動におけるリセット電圧−Ｖ１ｂの大きさを、シアン色粒子群１１Ｃ及び赤色粒子群１１Ｒを共に移動させる電圧の大きさ、例えば、電圧−Ｖ２以下の電圧である電圧−Ｖ２ｂに置き換える。同様に、黒リセット駆動におけるリセット電圧Ｖ１ｂの大きさを、例えば、電圧Ｖ２以上の電圧である電圧Ｖ２ｂに置き換える。
【０１８４】
図２３は、本実施形態において第１リセット処理を実行した際の、各画素におけるシアン色粒子群１１Ｃ及び赤色粒子群１１Ｒの状態を示した図である。
【０１８５】
図２３（Ａ）はステップＳ１５の処理前の各粒子群１１の配置を示した図である。
【０１８６】
図２３（Ｂ）は、図６のステップＳ２０の処理において、画素電極４Ａに電圧−Ｖ２ｂを印加した際の各粒子群１１の状態を示した図である。この場合、既に説明したように、電圧−Ｖ２ｂによって形成された電界が画素Ａだけでなく、例えば矢印Ｒ７及び矢印Ｒ８方向に沿って、画素Ａに隣接する画素Ｂにも影響を与える。
【０１８７】
従って、画素Ｂに含まれる赤色粒子群１１Ｒのうち、より画素Ａに近い場所に位置する赤色粒子１１Ｒが表示基板１側から剥離し、画素Ａの背面基板２側へ移動する。
【０１８８】
また、画素Ａに含まれるシアン色粒子群１１Ｃのうち、より画素Ｂに近い場所に位置するシアン色粒子１１Ｃは、画素Ａの表示基板１側ではなく、画素Ｂの表示基板１側へ移動する。
【０１８９】
すなわち、画素Ａに含まれる赤色粒子群１１Ｒの粒子量の方が、画素Ｂに含まれる赤色粒子群１１Ｒの粒子量よりも多くなる一方、画素Ｂに含まれるシアン色粒子群１１Ｃの粒子量の方が、画素Ａに含まれるシアン色粒子群１１Ｃの粒子量よりも多くなる。
【０１９０】
図２３（Ｃ）は、図６のステップＳ５０の処理が終了した際の、各粒子群１１の状態を示した図である。この場合、第１実施形態における表示媒体１０と異なり、表示媒体１０の各画素はシアン色を表示する。このように、画素電極４に印加する電圧を制御して、各画素の表示色がシアン色になるように表示媒体１０のシアン色粒子群１１Ｃ及び赤色粒子群１１Ｒを駆動することをシアンリセット駆動という。
【０１９１】
図２３（Ｄ）は、図６のステップＳ６０の処理において、画素電極４Ａに０Ｖ、画素電極４Ｂに電圧Ｖ２ｂを印加した際の各粒子群１１の状態を示した図である。
【０１９２】
この場合、電圧Ｖ２ｂによって形成された電界は、画素Ｂだけでなく、例えば矢印Ｒ９及び矢印Ｒ１０方向に沿って、画素Ｂに隣接する画素Ａにも影響を与える。
【０１９３】
従って、画素Ｂに含まれる赤色粒子群１１Ｒのうち、より画素Ａに近い場所に位置する赤色粒子１１Ｒは、画素Ｂの表示基板１側ではなく、画素Ａの表示基板１側へ移動する。
【０１９４】
また、画素Ａに含まれるシアン色粒子群１１Ｃのうち、より画素Ｂに近い場所に位置するシアン色粒子１１Ｃが表示基板１側から剥離し、画素Ｂの背面基板２側へ移動する。
【０１９５】
図２３（Ｅ）は、図６のステップＳ９０の処理が終了した際の、各粒子群１１の状態を示した図である。この場合、上記の理由により、画素Ａは、図２３（Ｃ）における画素Ａと比べて、更により多くの赤色粒子群１１Ｒを含み、画素Ｂは、図２３（Ｃ）における画素Ｂと比べて、更により多くのシアン色粒子群１１Ｃを含む。
【０１９６】
そして、ステップＳ２４では、画素Ａでの表示色を赤色、画素Ｂでの表示色をシアン色とする駆動電圧が画素電極４に印加されるように、電圧印加部３０を制御する。具体的には、画素電極４Ａへの駆動電圧は０Ｖにしたまま、画素電極４Ｂに駆動電圧−Ｖ２ｂが印加されるように、電圧印加部３０を制御する。
【０１９７】
画素電極４Ｂに電圧−Ｖ２ｂが印加されると、画素Ｂに含まれるシアン色粒子群１１Ｃの一部の粒子が画素Ａに移動し、画素Ａに含まれる赤色粒子群１１Ｒの一部の粒子が画素Ｂに移動し、画素Ａが赤色、画素Ｂがシアン色を示す。従って、図２３（Ｆ）に示すように、画素Ａ及び画素Ｂに含まれるシアン色粒子群１１Ｃ及び赤色粒子群１１Ｒの粒子量のばらつきが、予め定めた範囲内に抑えられることになる。
【０１９８】
次に、ステップＳ３４では、ステップＳ１５の処理において読み込んだ、隣接する画素の各々に表示する表示色が、白色及び黒色の組み合わせか否かを判定する。そして、否定判定の場合には、既にステップ１５及びステップＳ２４の処理により、隣接する画素の一方が赤色、他方がシアン色を表示しているため、本リセット電圧印加処理を終了する。一方、肯定判定の場合には、ステップＳ４４へ移行する。
【０１９９】
ステップＳ４４では、隣接する画素の各々に表示する表示色を、白色及び黒色の組み合わせにするためのリセット電圧印加処理（第３リセット処理）を実行する。本実施形態における第３リセット処理では、例えば、画素Ａを黒色、画像Ｂを白色とする画像の表示指示を受け付けた場合のリセット電圧印加処理を実行する。
【０２００】
そのため、第３リセット処理では、閾値の大きさがより低いシアン色粒子群１１Ｃに対して、図６の第１リセット処理と同様の処理を実施し、例えば、画素Ａの表示基板１側に付着するシアン色粒子群１１Ｃの粒子量を、画素Ｂの表示基板１側に付着するシアン色粒子群１１Ｃの粒子量より予め多くしておく。
【０２０１】
図２２は、ＣＰＵ４０１により実行される、第３リセット処理の流れを示すフローチャートである。
【０２０２】
まず、ステップＳ３００では、画素Ａ及び画素Ｂに含まれるシアン色粒子群１１Ｃを表示基板１側へ移動させるため、画素電極４Ａへの印加電圧が、電圧−Ｖ２ａ＜電圧−Ｖ１ｃ≦電圧−Ｖ１である電圧−Ｖ１ｃとなるように、電圧印加部３０を制御する。
【０２０３】
本ステップの処理により、図２４（Ａ）に示すように、画素Ａに含まれるシアン色粒子群１１Ｃが表示基板１側に付着する。そして、シアン色粒子群１１Ｃが表示基板１側に付着するのに十分な期間が経過した後、画素電極４Ａへの印加電圧が停止されるように、電圧印加部３０を制御する。
【０２０４】
ステップＳ３１０では、画素電極４Ａへの印加電圧が、電圧Ｖ１≦電圧Ｖ１ｃ＜電圧Ｖ２ａである電圧Ｖ１ｃとなるように、電圧印加部３０を制御する。この際、画素電極４Ｂへの印加電圧は０Ｖのままとする。
【０２０５】
本ステップ実行前には、図２４（Ａ）に示されるように、画素Ａの表示基板１側に付着していたシアン色粒子群１１Ｃと、より画素Ａに近い場所にある画素Ｂの表示基板１側に付着していたシアン色粒子群１１Ｃの一部が、本ステップの処理を実行することによって、図２４（Ｂ）に示されるように、画素Ａの背面基板２側に引き寄せされる。従って、画素Ａに含まれるシアン色粒子群１１Ｃの粒子量の方が、画素Ｂに含まれるシアン色粒子群１１Ｃの粒子量よりも多くなる。
【０２０６】
次に、ステップＳ３２０では、予め定めたずれフレーム数に亘って、画素電極４Ａに電圧Ｖ１ｃが印加されたか否かを判定する。当該判定が否定判定の場合には、画素電極４Ａに電圧Ｖ１ｃがずれフレーム数分印加されるまで、本ステップの処理を繰り返す。そして、肯定判定の場合には、ステップＳ３３０へ移行する。
【０２０７】
そして、ステップＳ３３０では、画素電極４Ｂへの印加電圧が電圧Ｖ１ｃとなるように、電圧印加部３０を制御する。この際、画素電極４Ａへの印加電圧は、引き続き電圧Ｖ１ｃのままとする。
【０２０８】
そして、ステップＳ３４０では、シアンリセットフレーム数に亘って、画素電極４Ａ及び画素電極４Ｂに電圧Ｖ１ｃが印加されたか否かを判定する。当該判定が否定判定の場合には、画素電極４Ａ及び画素電極４Ｂに電圧Ｖ１ｃがシアンリセットフレーム数分印加されるまで、本ステップの処理を繰り返す。そして、肯定判定の場合には、ステップＳ３５０へ移行する。
【０２０９】
本ステップの処理により、図２４（Ｃ）に示すように、各画素のシアン色粒子群１１Ｃは背面基板２側に付着して、画素Ａは赤色、画素Ｂは白色を表示する。
【０２１０】
次に、ステップＳ３５０では、画素電極４Ａへの印加電圧を０Ｖとすると共に、画素電極４Ｂへの印加電圧が電圧−Ｖ１ｃとなるように、電圧印加部３０を制御する。
【０２１１】
本ステップの処理により、図２４（Ｄ）に示すように、電圧−Ｖ１ｃにより形成された電界の影響により、画素Ｂの背面基板２側に付着していたシアン色粒子群１１Ｃが、画素Ａの表示基板１側と、画素Ｂの表示基板１側と、へ分かれて移動し始める。すなわち、画素Ａに含まれるシアン色粒子群１１Ｃの粒子量＞画素Ｂに含まれるシアン色粒子群１１Ｃの粒子量の大小関係を維持したまま、画素Ａに含まれるシアン色粒子群１１Ｃの粒子量は、ステップＳ３２０の処理が終了した時点で画素Ａに含まれるシアン色粒子群１１Ｃの粒子量よりも更に多くなる。
【０２１２】
次に、ステップＳ３６０では、ずれフレーム数に亘って、画素電極４Ｂに電圧−Ｖ１ｃが印加されたか否かを判定する。当該判定が否定判定の場合には、画素電極４Ｂに電圧−Ｖ１ｃがずれフレーム数分印加されるまで、本ステップの処理を繰り返す。そして、肯定判定の場合には、ステップＳ３７０へ移行する。
【０２１３】
そして、ステップＳ３７０では、画素電極４Ａへの印加電圧が電圧−Ｖ１ｃとなるように、電圧印加部３０を制御する。この際、画素電極４Ｂへの印加電圧は、引き続き電圧−Ｖ１ｃのままとする。
【０２１４】
そして、ステップＳ３８０では、シアンリセットフレーム数に亘って、画素電極４Ａ及び画素電極４Ｂに電圧−Ｖ１ｃが印加されたか否かを判定する。
【０２１５】
当該判定が否定判定の場合には、画素電極４Ａ及び画素電極４Ｂに電圧−Ｖ１ｃがシアンリセットフレーム数分印加されるまで、本ステップの処理を繰り返す。そして、肯定判定の場合には、ステップＳ３９０へ移行する。
【０２１６】
本ステップの処理により、図２４（Ｅ）に示すように、各画素のシアン色粒子群１１Ｃは表示基板１側に付着して、画素Ａは黒色、画素Ｂはシアン色を表示する。
【０２１７】
ステップＳ３９０では、画素電極４Ａ及び画素電極４Ｂへの印加電圧が０Ｖとなるように、電圧印加部３０を制御する。
【０２１８】
以上、図２２に示した第３リセット処理により、画素Ａの表示基板１側に付着するシアン色粒子群１１Ｃの粒子量の方が、画素Ｂの表示基板１側に付着するシアン色粒子群１１Ｃの粒子量より多くなる。
【０２１９】
そして、図２１のステップＳ５４では、画素電極４Ｂに駆動電圧Ｖ１ｃが印加されるように、電圧印加部３０を制御する。本ステップの処理により、図２４（Ｆ）に示すように、画素Ｂの表示基板１側に付着していたシアン色粒子群１１Ｃと、より画素Ｂに近い場所にある画素Ａの表示基板１側に付着していたシアン色粒子群１１Ｃの一部が、画素Ｂの背面基板２側に引き寄せされる。
【０２２０】
しかし、図２２に示した第３リセット処理電圧実施後では、画素Ａの表示基板１側に付着するシアン色粒子群１１Ｃの粒子量は、画素Ｂの表示基板１側に付着するシアン色粒子群１１Ｃの粒子量より多くなっている。従って、画素電極４Ｂに駆動電圧Ｖ１ｃを印加することで、画素Ａ及び画素Ｂに含まれるシアン色粒子群１１Ｃの粒子量のばらつきが予め定めた範囲内に抑えられ、画素間の画像の表示濃度のばらつきが抑制されることになる。
【０２２１】
このように本実施形態では、異極に帯電した２種類の粒子群１１が表示媒体１０に封入される場合であっても、表示媒体１０に表示すべき表示色に応じて、隣接する画素の各々に印加するリセット電圧の印加シーケンスを変更することにより、隣接する画素の各々に異なる表示色を表示する画像を繰り返し表示しても、画素間の濃度のばらつきが抑制されるようにした。
【０２２２】
具体的には、隣接する画素で白色及び黒色以外の組み合わせ、例えば、赤色及びシアン色を表示する場合には、第１実施形態におけるリセット電圧印加処理と同様の処理を実行する。また、隣接する画素で白色及び黒色を表示する場合には、ステップＳ２４及びステップＳ５４の各々の駆動電圧印加前に、第１実施形態におけるリセット電圧印加処理と同様の処理を実行する。
【０２２３】
これにより、隣接する画素の各々に含まれる粒子量が個別に調整され、画像情報に応じた画像を表示するため、隣接する画素のうち一方の画素に駆動電圧した場合であっても、隣接する画素の各々に含まれる粒子量が予め定めた範囲内に収まる。従って、表示媒体１０に繰り返し画像を表示しても、画素間の濃度のばらつきを抑制する効果が期待される。
【０２２４】
なお、第１実施形態と同様に、本実施形態におけるリセット電圧印加処理に対して、画素に表示すべき画像の表示濃度に応じて、ずれフレーム数及び初期リセット電圧の少なくとも一方を調整することにより、画素間の濃度のばらつきをより抑制する効果が期待される。
【０２２５】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０２２６】
また、第１実施形態〜第３実施形態では、リセット電圧印加処理をソフトウエア構成によって実現した場合について説明したが、本発明はこれに限定されるものではなく、例えば当該電圧印加処理をハードウェア構成により実現する形態としてもよい。
【０２２７】
この場合の形態例としては、例えば、制御部４０と同一の処理を実行する機能デバイスを作成して用いる形態がある。この場合は、上記実施の形態に比較して、処理の高速化が期待される。
【０２２８】
なお、第１実施形態〜第３実施形態のリセット電圧印加処理では、一例として、粒子群１１の閾値特性に基づいて画素電極４に印加する電圧値を調整することで、粒子群１１の移動を制御した。しかし、粒子群１１の移動の制御方法はこれに限らず、例えば、画素電極４に印加する電圧値及び印加時間の少なくとも一方を調整することで、粒子群１１の移動を制御するようにしてもよい。
【０２２９】
また、表示媒体１０に３種類以上の粒子群が含まれる場合であっても、第１実施形態〜第３実施形態のリセット電圧印加処理が適用されることは言うまでもない。
【符号の説明】
【０２３０】
１  表示基板、２  背面基板、３  表示側電極、４  画素電極、６  分散媒、１０  表示媒体、１１Ｃ  シアン色粒子、１１Ｋ  黒色粒子、１１Ｒ  赤色粒子、１２Ｗ  白色粒子、２０  駆動装置、３０  電圧印加部、４０  制御部（コンピュータ）、１００  表示装置
【図１】
2015148685.tif 000004
【図２】
2015148685.tif 000005
【図３】
2015148685.tif 000006
【図４】
2015148685.tif 000007
【図５】
2015148685.tif 000008
【図６】
2015148685.tif 000009
【図７】
2015148685.tif 000010
【図８】
2015148685.tif 000011
【図１１】
2015148685.tif 000012
【図１４】
2015148685.tif 000013
【図１５】
2015148685.tif 000014
【図１６】
2015148685.tif 000015
【図１７】
2015148685.tif 000016
【図１８】
2015148685.tif 000017
【図１９】
2015148685.tif 000018
【図２０】
2015148685.tif 000019
【図２１】
2015148685.tif 000020
【図２２】
2015148685.tif 000021
【図２３】
2015148685.tif 000022
【図２４】
2015148685.tif 000023
【図９】
2015148685.tif 000024
【図１０】
2015148685.tif 000025
【図１２】
2015148685.tif 000026
【図１３】
2015148685.tif 000027